(57)【特許請求の範囲】
【請求項１】
内筒と外筒を同心二重配置にしてその相互間に下向きに開放された環状溝を形成し該環状溝に容器の口部を嵌合させて固定保持するベースと、このベースの上部に一体的に設けられた環状周壁と、この環状周壁の内側に設けられプルリングによる閉塞壁の引きちぎりによって注出経路を開口させて容器内の内容物の排出を可能とする注出筒と、この注出筒を覆い隠す収納空間を有し環状周壁の外側壁に着脱自在に係合するキャップとを備えた注出栓であって、
前記ベースに、少なくとも一つの弱化部を有し外筒を隙間を隔てて取り囲む環状体を設け、この環状体と外筒との相互間に、それらを複数箇所において引きちぎり可能に一体連結するブリッジを配設してなり、
前記キャップは、容器の口部突端に位置する天面壁と、この天面壁の縁部に一体的につながり容器の口部側壁を全周にわたって取り囲む周壁と、この周壁の下端にてヒンジを介して反転可能に連結するリングからなり、
前記キャップに、該隙間に入り込み環状体に抜け止め不能に連係し容器の開封により環状体を引き上げて弱化部を切断する係止部材を設け、
前記周壁とリングとの間に、それらを複数箇所にて相互に連結するとともに該環状体からの引き離しによる破断を可能とするブリッジと、凸部を凹部に入れ込み周壁の環状体に対する回動を阻止する回り止めを設けたことを特徴とする注出栓。
【発明の詳細な説明】
【技術分野】
【０００１】
本発明は、容器の口部に装着される注出栓に関するものであり、容器の不正な開封を目視でもって容易に見極めようとするものである。
【背景技術】
【０００２】
醤油やドレッシング等の調味材を入れる容器は、その口部に、プルリングの引き起こしにより閉塞壁部を引きちぎって開封するバージンタイプの注出栓が装着されており、容器内の内容物を使い切るまでの間はねじ込み式のキャップやアンダーカットタイプのキャップを注出栓に適合させて容器を密封状態に保持するようになっている（例えば、特許文献１参照）。
【特許文献１】実用新案登録第２５４８５０６号明細書
【０００３】
ところで、この種の注出栓は、注出栓を構成するベースの環状溝を容器の口部に嵌合させて固定してあり（凹部と凸部を連係させて抜け止めするアンダーカットの如き係合手段が適用される）、該ベースの周壁に単にキャップがねじ込まれているのが普通であり、例えば、容器を開封する前にキャップのみが取り外されるようなことがあった場合には、その事実があったかどうか確認のしようがないのが現状であった。
【発明の開示】
【発明が解決しようとする課題】
【０００４】
本発明の課題は、キャップの不正な取り外しがなされていないかどうか目視でもって容易に確認できる新規な注出栓を提案するところにある。
【課題を解決するための手段】
【０００５】
本発明は、内筒と外筒を同心二重配置にしてその相互間に下向きに開放された環状溝を形成し該環状溝に容器の口部を嵌合させて固定保持するベースと、このベースの上部に一体的に設けられた環状周壁と、この環状周壁の内側に設けられプルリングによる閉塞壁の引きちぎりによって注出経路を開口させて容器内の内容物の排出を可能とする注出筒と、この注出筒を覆い隠す収納空間を有し環状周壁の外側壁に着脱自在に係合するキャップとを備えた注出栓であって、
前記ベースに、少なくとも一つの弱化部（薄肉部や切欠部が適用される）を有し外筒を隙間を隔てて取り囲む環状体を設け、この環状体と外筒との相互間に、それらを複数箇所において引きちぎり可能に一体連結するブリッジを配設してなり、
前記キャップは、容器の口部突端に位置する天面壁と、この天面壁の縁部に一体的につながり容器の口部側壁を全周にわたって取り囲む周壁と、この周壁の下端にてヒンジを介して反転可能に連結するリングからなり、
前記キャップに、該隙間に入り込み環状体に抜け止め不能に連係し容器の開封により環状体を引き上げて弱化部を切断する係止部材を設け、
前記周壁とリングとの間に、それらを複数箇所にて相互に連結するとともに該環状体からの引き離しによる破断を可能とするブリッジと、凸部を凹部に入れ込み周壁の環状体に対する回動を阻止する回り止めを設けたことを特徴とする注出栓である。
【発明の効果】
【０００８】
キャップを取り外すべく口部の回りで回動させると、該キャップの上方への移動とともに環状体が引き上げられ、それによって弱化部が切断されることとなるため、キャップが取り外されたかどうか一目で確認することができる。
【発明を実施するための最良の形態】
【０００９】
以下、図面を参照して本発明をより具体的に説明する。
図１、図２は本発明にしたがう注出栓の実施の形態を示した図である。
【００１０】
図における符号１は注出栓のベースである。このベース１は内筒１ａと、外筒１ｂを同心二重に配置してその相互間に下向きに開放された環状溝ｍを形成するものであって、該環状溝ｍに容器の口部がアンダーカットの如き係合手段（凸部と凸部が相互に係合するもの）にて抜け止めされた状態で嵌合するようになっている。
【００１１】
また、２はベース１の上部に一体的に設けられた環状周壁、３は環状周壁２の内側に一体的に配置された注出筒である（ベース１、環状周壁２、注出筒３を全て合わせて中栓と呼ぶこともできる）。この注出筒３には注出経路ｒを閉塞する閉塞壁３ａが設けられており、この閉塞壁３ａにつながるプルリング３ｂの引き起こしにより該閉塞壁３ａを破断予定溝Ｓに沿って引きちぎることにより注出経路ｒを開放することができるようになっている。
【００１２】
４は注出筒３を覆い隠す収納空間を有し、環状周壁２の外側壁に設けられたねじ部に着脱自在に係合するキャップである。このキャップ４は天面壁４ａと、この天面壁４ａの縁部に一体的につながる周壁４ｂからなる。
【００１３】
５は外筒１ｂの下端部で該外筒１ｂを隙間ｔを隔てて取り囲む環状体である。この環状体５には切欠部Ｃによって狭幅に形成された少なくとも一つの弱化部５aと、環状体５を弱化部５aとともに部分的に薄肉化する凹部５ｂが設けられており、その内周壁の上端部には爪部５ｃが形成されている。凹部５ｂについては弱化部５ａを含めてその両側に設けることもできる。
【００１４】
６は環状体５と外筒１ｂとを、その回りの六箇所において一体連結するブリッジである（図２参照）。このブリッジ６は薄肉片からなっており小さな力でもって簡単に引きちぎることができるようになっている。
【００１５】
７はキャップ４の下端部に一体的に設けられ隙間ｔに入り込む係止部材である。この係止部材７はキャップ４の周壁４ａと同一形状になる筒状体あるいは複数個の舌片が適用され、その外側壁には環状体５の爪部５ｃに抜け止め不能に連係する爪部７ａが設けられている。
【００１６】
かかる構成になる注出栓は、キャップ４を環状周壁２から取り外すべく回動させると、該キャップ４は上方へと移動していき、この時、爪部７ａが環状体５の爪部５ｃに連係しているため、該環状体５もキャップ４の移動に合わせて引き上げられこれに伴って弱化部５ａが破断する。
【００１７】
容器の開封前であるにもかかわらず環状体５の弱化部５ａが破断している場合には、キャップ４には人為的に何らかの手が加えられることが一目でわかるため安全性が高められる。
【００１８】
環状体５は外筒１ｂにブリッジ６によって一体連結されているが環状体５の破断部位をつかんで引っ張ることによりブリッジ６が破断され該環状体５を簡単に取り外すことができる。
【００１９】
図３は本発明にしたがう注出栓の他の実施の形態を示した外観斜視図である。  図における符号８はキャップ４の周壁４ｂの下端に設けられたリング、９はリング８を反転可能に周壁４ｂに連結するヒンジ、１０はキャップ４の周壁４ｂとリング８とを切離し可能に連結するブリッジ（薄肉片）、１１は周壁４ｂに一体的に設けた凸部１１ａをリング８の上端に設けた凹部１１ｂ（凸部を二つ設けてその間に凹部を形成したもの）に入れ込みキャップ４のリング８に対する回動を阻止する回り止めである。
【００２０】
通常、注出栓は、容器の口部に強固に嵌合されており、分別回収を行うべく注出栓を容器から取り外そうとしても簡単に分離することができない。上掲図３に示した構成のキャップ４は環状周壁２から取り外した状態でキャップ４とリング８とを相互に離反させる向きに力を加えることによりブリッジ１０を破断してヒンジ９を図４に示すように反転させることができるものであり、この反転状態で図５に示す如く再び環状周壁２に取付け、該リング８に指を引っ掛けて上方へ引き上げることで注出栓の取り外しが簡単に行え、分別回収における回収率の向上が見込める利点がある。
【００２１】
ヒンジ９は帯状体にて構成することが可能であり、その幅端に沿うようにヒンジ９あるいはキャップ４の周壁４ｂにスリットｅ（図３参照）を設けておくことによりリング８の反転が容易となる。
【００２２】
また、ヒンジ９が設けられた対向位置でリング８の上端部に指掛け用の凹部１２を設けておくことができ（図４参照）、これにより周壁４ｂとリング８との引き離しが容易に行える。この凹部１２の位置にはブリッジ１０と同様のブリッジ１３を設けておくことができる。ブリッジ１３は指を引っ掛ける突起としてもよいし、ブリッジ１３そのものの設置を省略することも可能であり、ブリッジ１３の設置を省略した場合には凹部１２のみが存在することになる。
【００２３】
とくに上掲図３に示したキャップ４は、合成樹脂を射出成形することにより単一部材として成形できるものであって、部品点数が増える不具合が生じることはない。
【００２４】
回り止め１１については凸部１１ａを周壁４ｂに設け、凹部１１ｂをリング８に設けた場合について示したが、凹部を周壁４ｂに、凸部１１ａをリング８に設けてもよく、また、凸部１１ａは周壁２の径方向外側へ向けて突出させるタイプの他に下向きに突出させてもよく、キャップのサイズや形状に応じて適宜変更し得る。
【産業上の利用可能性】
【００２５】
不正な開封が行われたかどうか一目で把握することができる注出栓が提供できる。
【図面の簡単な説明】
【００２６】
【図１】本発明にしたがう注出栓の実施の形態を示した図である。
【図２】図１に示した注出栓の底面を示した図である。
【図３】本発明にしたがう注出栓の他の実施の形態を示した外観斜視図である。
【図４】図３に示した注出栓のリングを反転させた状態を示した図である。
【図５】リングを周壁から切離して反転させて環状周壁に取付けた状態を示した図である。
【符号の説明】
【００２７】
１    ベース
１ａ  内筒
１ｂ  外筒
２    環状周壁
３    注出筒
３ａ  閉塞壁
３ｂ  プルリング
４    キャップ
５    環状体
５ａ  弱化部
５ｂ  凹部
５ｃ  爪部
６    ブリッジ
７    係止部材
７ａ  爪部
８    リング
９    ヒンジ
１０  ブリッジ
１１  回り止め
１１ａ  凸部
１１ｂ  凹部
１２    凹部
１３    ブリッジ
【図１】
0005095485.tif 000002
【図２】
0005095485.tif 000003
【図３】
0005095485.tif 000004
【図４】
0005095485.tif 000005
【図５】
0005095485.tif 000006